(57)【要約】【課題】前面枠に対してガラス枠を閉鎖した状態では、ガラス枠が不正に開放されるのを防止可能な遊技機を提供する。【解決手段】前面枠３からガラス枠４を一定角度以上開放した状態では、前面枠３の第２の係合部とガラス枠４の第２の被係合部との軸着が解除された際に、ガラス枠４が前面枠３から取外し可能であるが、前面枠３にガラス枠４を閉鎖した状態では、第２の係合部と第２の被係合部とによる軸着が解除されても、不正開放防止部１００が第１の被係合部の上方被係合部（外枠側）２０１の支持板部２１５に干渉することにより、ガラス枠４が前面枠３の軸着側から取外れるのを防止するようにした。【選択図】図２９
2007275217.tif 000002
【特許請求の範囲】
【請求項１】
外枠と、前記外枠に開閉可能に軸着される本体枠と、前記本体枠の前面側に一側縁が軸着により開閉可能に形成された開閉部材とを備える遊技機において、
前記本体枠の一側縁に設けられている第１の係合部と、前記外枠の一側縁に設けられ前記本体枠の前記第１の係合部と係合する第１の被係合部とにより、前記本体枠が前記外枠に対して脱着可能に軸着され、
前記本体枠の一側縁に設けられている第２の係合部と、前記開閉部材の一側縁に設けられ前記本体枠の前記第２の係合部と係合する第２の被係合部とにより、前記開閉部材が前記本体枠に対して脱着可能に軸着されており、
前記開閉部材は、前記本体枠から前記開閉部材を一定角度以上開放した状態において前記第２の係合部と前記第２の被係合部との軸着が解除された際に前記本体枠から取外し可能に構成されると共に、前記本体枠に前記開閉部材を閉鎖した状態において前記第２の係合部と前記第２の被係合部とによる軸着が解除された際に、前記第１の係合部或いは前記第１の被係合部の少なくとも何れか一方に干渉することにより前記開閉部材が前記本体枠の軸着側から取外れるのを防止する不正開放防止部を備えたことを特徴とする遊技機。
【請求項２】
前記開閉部材の前記不正開放防止部は、前記第２の係合部と前記第２の被係合部の軸着部の裏面側に設けられていることを特徴とする請求項１に記載の遊技機。
【請求項３】
前記不正開放防止部は、前記本体枠に前記開閉部材を閉鎖した状態にすると、前記本体枠のベースとなるベース体の前面側に位置すると共に、前記第１の係合部と前記第１の被係合部の軸着部の裏面側で、前記ベース体との間に位置することを特徴とする請求項１又は２に記載の遊技機。
【請求項４】
前記第２の係合部或いは前記第２の被係合部の一方に本体枠・開閉部材用軸部材を設け、他方には前記本体枠・開閉部材用軸部材が挿入されると共に前記本体枠・開閉部材用軸部材を軸止する本体枠・開閉部材用係合孔が設けられ、
前記本体枠・開閉部材用軸部材或いは前記本体枠・開閉部材用係合孔の少なくとも一方は、係合した状態と係合しない状態とに変位可能に構成されていることを特徴とする請求項１〜３の何れかに記載の遊技機。
【発明の詳細な説明】
【技術分野】
【０００１】
本発明は、本体枠に開閉及び脱着が可能に取り付けられる開閉部材を備えた遊技機に関する。
【背景技術】
【０００２】
従来、額縁形状の外枠と該外枠の前面側に取り付けられた前面枠と、該前面枠に一側縁が軸着により開閉可能に構成された開閉部材とを備えるパチンコ遊技機が公知である（例えば、特許文献１参照。）。前記開閉部材としては、例えば遊技領域を視認可能に保護するガラスを保持したガラス枠や、遊技媒体を貯留可能な皿部材等がある。
【０００３】
ガラス枠には、飾りランプ等が取り付けられるように、ガラス保持以外の機能を持たせることが多い。また皿部材にも装飾ランプ等の電気部品が設けられる場合がある。ガラス枠や皿部材等の開閉部材は、遊技機の製造や修理等の作業を効率よく行うために、遊技機の前面枠等の本体枠から脱着可能な構造に形成されている。
【０００４】
例えば上記従来の遊技機における前面枠に対するガラス枠の取付構造は、ガラス枠の一側縁が前面枠の一側縁に軸着するために、前面枠の一側縁に係合部として係合孔が形成された固定板部が設けられ、ガラス枠の一側縁には前記係合部と係合する被係合部として前記係合孔に係合する軸部材を有する軸固定部が設けられている。
【０００５】
ガラス枠の軸部材は、上下にスライド可能に形成され、係合孔に挿入した状態と、軸部材が係合孔に挿入できない状態とを変位可能に構成されている。前記軸部材は、通常はスプリングにより前面枠の係合孔に挿入した状態になるように付勢されている。そしてガラス枠が前面枠から開閉可能に軸着されていることによって、前記軸部材を中心に回動する。ガラス枠を開放した状態で、軸固定部の摘みを操作して、軸部材を係合孔に挿入しないようにすると、前面枠からガラス枠を取り外すことができる。
【特許文献１】特開平１１−１２８４８２号公報（段落００４４〜００４６、図３０、図３３等）
【発明の開示】
【発明が解決しようとする課題】
【０００６】
このように従来の遊技機において、ガラス枠等の開閉部材は、前面枠等の本体枠から容易に取り外すことができるように形成されている。ところで、遊技機に対し、ガラス枠等の開閉部材を不正に開放して、遊技盤に細工を施す等の不正行為が行われることがある。遊技機の軸着部に対して反対側縁は通常、鍵が掛かっている状態であり、鍵がないと容易に取り外し或いは開放をすることができない。そこで遊技機を不正に開放する場合、開閉部材の軸着している側縁を不正に開放し、前面枠等の本体枠とガラス枠等の開閉部材との間に隙間を形成する。そして、この隙間から遊技機に不正行為が行われることになる。
【０００７】
すなわち、開閉部材が本体枠に対し閉鎖された状態で、開閉部材が軸着されている側の軸部材を操作すると、軸部材の係合孔に対する係合を容易に解除することが出来るので、開閉部材が不正開放されてしまうという虞があった。
【０００８】
上記実状に鑑み、本発明が解決しようとする課題は、本体枠に対して開閉部材が不正に開放されるのを防止可能な遊技機を提供することにある。
【課題を解決するための手段】
【０００９】
上記課題を解決するために、本発明遊技機は、請求項1に記載のように、外枠と、前記外枠に開閉可能に軸着される本体枠と、前記本体枠の前面側に一側縁が軸着により開閉可能に形成された開閉部材とを備える遊技機において、前記本体枠の一側縁に設けられている第１の係合部と、前記外枠の一側縁に設けられ前記本体枠の前記第１の係合部と係合する第１の被係合部とにより、前記本体枠が前記外枠に対して脱着可能に軸着され、前記本体枠の一側縁に設けられている第２の係合部と、前記開閉部材の一側縁に設けられ前記本体枠の前記第２の係合部と係合する第２の被係合部とにより、前記開閉部材が前記本体枠に対して脱着可能に軸着されており、前記開閉部材は、前記本体枠から前記開閉部材を一定角度以上開放した状態において前記第２の係合部と前記第２の被係合部との軸着が解除された際に前記本体枠から取外し可能に構成されると共に、前記本体枠に前記開閉部材を閉鎖した状態において前記第２の係合部と前記第２の被係合部とによる軸着が解除された際に、前記第１の係合部或いは前記第１の被係合部の少なくとも何れか一方に干渉することにより前記開閉部材が前記本体枠の軸着側から取外れるのを防止する不正開放防止部を備えたことを要旨とするものである。
【００１０】
本発明遊技機において、請求項２に記載のように、請求項１に係り、前記開閉部材の前記不正開放防止部は、前記第２の係合部と前記第２の被係合部の軸着部の裏面側に設けられている構成である。
【００１１】
本発明遊技機において、請求項３に記載のように、請求項１〜２に係り、前記不正開放防止部は、前記本体枠に前記開閉部材を閉鎖した状態にすると、前記本体枠のベースとなるベース体の前面側に位置すると共に、前記第１の係合部と前記第１の被係合部の軸着部の裏面側で、前記ベース体との間に位置する構成である。
【００１２】
本発明遊技機において、請求項４に記載のように、請求項１〜３に係り、前記第２の係合部或いは前記第２の被係合部の一方に本体枠・開閉部材用軸部材を設け、他方には前記本体枠・開閉部材用軸部材が挿入されると共に前記本体枠・開閉部材用軸部材を軸止する本体枠・開閉部材用係合孔が設けられ、前記本体枠・開閉部材用軸部材或いは前記本体枠・開閉部材用係合孔の少なくとも一方は、係合した状態と係合しない状態とに変位可能に構成されている構成である。
【発明の効果】
【００１３】
請求項１の本発明遊技機は、前記開閉部材は、前記本体枠から前記開閉部材を一定角度以上開放した状態において前記第２の係合部と前記第２の被係合部との軸着が解除された際に前記本体枠から取外し可能に構成されると共に、前記本体枠に前記開閉部材を閉鎖した状態において前記第２の係合部と前記第２の被係合部とによる軸着が解除された際に、前記第１の係合部或いは前記第１の被係合部の少なくとも何れか一方に干渉することにより前記開閉部材が前記本体枠の軸着側から取外れるのを防止する不正開放防止部を備えているから、本体枠に開閉部材が閉鎖している状態で軸着側から本体枠に対して開閉部材が不正に開放されるのを防止することができる。
【００１４】
請求項２の本発明遊技機は、前記開閉部材の前記不正開放防止部は、前記第２の係合部と前記第２の被係合部の軸着部の裏面側に設けられているので、軸着が解除されても、軸着の裏側で不正開放防止部材が干渉するので段階的に軸着側の開放を防止することができる。
【００１５】
請求項３の本発明遊技機は、前記不正開放防止部は、前記本体枠に前記開閉部材を閉鎖した状態にすると、前記本体枠のベースとなるベース体の前面側に位置すると共に、前記第１の係合部と前記第１の被係合部の軸着部の裏面側で、前記ベース体との間に位置することによって、開閉部材の前後へのズレを抑制することが可能となる。
【００１６】
請求項４の本発明遊技機は、前記第２の係合部或いは前記第２の被係合部の一方に本体枠・開閉部材用軸部材を設け、他方には前記本体枠・開閉部材用軸部材が挿入されると共に前記本体枠・開閉部材用軸部材を軸止する本体枠・開閉部材用係合孔が設けられ、前記本体枠・開閉部材用軸部材或いは前記本体枠・開閉部材用係合孔の少なくとも一方は、係合した状態と係合しない状態とに変位可能に構成されていることによって、軸着状態と軸着の解除を容易に行うことが可能となる。
【発明を実施するための最良の形態】
【００１７】
以下、本発明の実施形態について図面を用いて詳細に説明する。図１は本発明遊技機の一実施例を示す正面図であり、図２は図１の背面図である、図３は図１の前面枠３からガラス枠４を開放した状態を示す斜視図であり、図４は前面枠３からガラス枠４及び下皿部材５を開放した状態を示す斜視図である。（図３及び図４では遊技盤７の記載を省略した）。図１〜図４に示すように、本実施例の遊技機はパチンコ遊技機１であり、所要の奥行きを有する額縁形状に形成された外枠２（機枠と云うこともある）の前面側に、一側縁として左側縁が軸着により開閉可能に形成された前面枠３（内枠と云うこともある）が取り付けられ、前面枠３の前面側に一側縁が軸着により開閉可能に形成されたガラス枠４や下皿部材５等の開閉部材が取り付けられている。
【００１８】
なお、本態様のパチンコ遊技機において、本発明の本体枠は前面枠３であり、本発明の開閉部材はガラス枠４である。また本発明における本体枠に設けられている第１の係合部は、図５に示すように、前面枠３の上方係合部（前面枠側）３０１及び下方係合部（前面枠側）３０２からなる係合部であり、本発明の外枠２に設けられている第１の被係合部は、上方被係合部（外枠側）２０１及び下方被係合部（外枠側）２０２からなる外枠２の被係合部である。また本発明における本体枠に設けられている第２の係合部は、前面枠３のガラス枠下方係合部（前面枠側）３３０（図１４参照）とガラス枠上方係合部（前面枠側）３４０（図１４参照）からなるガラス枠係合部であり、本発明の開閉部材に設けられている第２の被係合部は、図２４に示すようにガラス枠上方被係合部（ガラス枠側）４４０及びガラス枠下方被係合部（ガラス枠側）４３０からなるガラス枠被係合部である。
【００１９】
なお本発明において、遊技機の前面とは、遊技機正面側のことであり、遊技機の左側、右側、上側、下側とは、遊技機を前面から見た場合の左側、右側、上側、下側のことであり、図１において、図中、それぞれ左側、右側、上側、下側のことである。また遊技機の背面側を後面と云うこともある。
【００２０】
図３に示すように前面枠３には遊技盤７を取り付けるための開口部６が設けられ開口部６には遊技盤７が組み付けられている（図１参照）。遊技盤７は、前面枠３から脱着可能に取り付けられている。遊技盤７の周縁には、発射装置８（図２参照）から発射された遊技球をガイドするための内側ガイドレール９と外側ガイドレール１０からなるガイドレールが、略円形に設けられている。遊技盤７の内側ガイドレール９によって囲まれた部分が遊技領域として形成されている。また図１に示すように、パチンコ遊技機１の左側面にはプリペイドカードユニット１１が取付られている。
【００２１】
図１に示すように、ガラス枠４は前面枠３の前面側に軸着されている。ガラス枠４には図３に示すように遊技盤７の位置にガラス２５が配設され、ガラス２５を通して前方から遊技盤７を視認可能に形成されている。ガラス枠４は、図１に示すように上皿１２と一体に形成されている。またガラス枠４の上部左右両側には、スピーカ１３が取り付けられ、遊技領域の周囲に装飾ランプ１４が設けられている。
【００２２】
図１に示すように、下皿部材５には上皿１２に遊技球が満杯になった場合に上皿１２から遊技球が流下して遊技球を貯留可能な下皿１５と下皿１５に貯留した遊技球を遊技機外に抜き取るための下皿球抜き操作部１６と、上皿１２からの遊技球が下皿１５に出てくる下皿球出口２４等が設けられている。また前面枠３には、前面枠３やガラス枠４を開放可能にするための鍵１７と、遊技球を発射操作するための発射ハンドル１８等が取り付けられている。また上皿１２には、上皿１２に貯留されている遊技球を下皿１５に流下するための上皿操作部１９や、貸し出し可能な貸し球を払い出すための球貸し操作部２０等が設けられている。また遊技盤７の遊技領域内には、特別図柄表示装置２１等の表示装置、始動入賞装置２２、特別入賞装置２３等の各種入賞装置が設けられている。
【００２３】
パチンコ遊技機１は、発射ハンドル１８の操作により、発射装置８から遊技領域に発射された遊技球が、転動しながら遊技盤７表面を落下し、入賞装置に入ると、所定の賞球遊技球が球払出口から払い出されるようになっている。
【００２４】
図２に示すように、パチンコ遊技機１の外枠２の後面側には、枠用外部端子基板３０、図柄制御基板３１、主制御基板３２、音声制御基板３３、ランプ制御基板３４、払出制御基板３５、発射装置制御基板３６、電源基板３７等の各種基板、カードインターフェース接続部３８、球寄せ３９、タンク４０、タンクレール４１、払出装置４２、発射装置８等が設けられている。
【００２５】
図３に示すように、前面枠３の開口部６の周囲の上皿１２の後面に対応する位置には、上皿１２に賞媒体等を導く上皿球出口４３、発射装置８により発射された遊技球が遊技領域に達しなかったファール球の通路のファール球通路４４、上皿１２の遊技球を発射装置８に送り出す球送り装置４５等が設けられている。また図３に示すように、ガラス枠４の下側には、遊技球等の遊技媒体を貯留するための下皿１５、下皿球出口２４、球抜き操作部１６等が設けられた下皿部材５が取り付けられている。図４に示すように、下皿部材５は、前面枠３に対して開閉可能であり、且つ前面枠３から脱着可能に、左側縁が前面枠３に軸着されて取り付けられている。ガラス枠４と下皿部材５は、別々に開閉可能であり、それぞれ前面枠３に対し脱着可能に軸着されて取り付けられている。
【００２６】
図５は外枠２と前面枠３の取付構造を示すための分解斜視図である。前面枠３は、外枠２に対し一側縁（左側縁）が軸着されて、開閉可能に取り付けられている。更に前面枠３は外枠２に対して脱着可能に軸着されている。具体的には、図５に示すように、外枠２の左側縁に設けられた上方被係合部（外枠側）２０１と下方被係合部（外枠側）２０２からなる外枠２の係合部と、前面枠３の左側縁上下に設けられ、前記外枠２の上方被係合部（外枠側）２０１及び下方被係合部（外枠側）２０２と係合可能な位置に設けられた上方係合部（前面枠側）３０１及び下方係合部（前面枠側）３０２からなる前面枠３の係合部により脱着可能に軸着されている。
【００２７】
図６は外枠２の上方被係合部（外枠側）２０１及び前面枠３の上方係合部（前面枠側）３０１を示す拡大図である。尚、図６では前面枠３を開放方向に９０度回転させて、遊技機を上から見た場合に、前面枠３が外枠２に対して直角になるように配置した状態を示す。図６に示すように、外枠２の上方被係合部（外枠側）２０１は、左側の側面板２１１と上側の上面板２１２とか連設され断面が『「』字状（くの字状）に形成されている、外枠本体２０３に取り付けるための外枠固定部２１３と、該外枠固定部２１３の側面板２１１から遊技機前面側に突出するように外枠本体２０３の前面側に突出して連設してなる略三角形状の側面突出部２１４と、側面突出部２１４の上端から右側水平方向に連設してなる平板状の支持板部２１５が外枠本体２０３の前面側に突出して形成され、これらは一枚の金属板を曲げ加工して形成されている。更に上方被係合部（外枠側）２０１は、前面枠３を軸止するための係止軸２１６が、支持板部２１５の表面から上方に垂直に立設されている。
【００２８】
図６に示すように、上方被係合部（外枠側）２０１を構成する部材は、木製の額縁状に形成された外枠本体２０３の左上隅外側に、外枠固定部２１３の側面板２１１と上面板２１２に設けたネジ孔２１１ａ、２１１ｂ、２１２ａ、２１２ｂ等を利用してネジ止めすることで、取り付けられている。
【００２９】
図６に示すように、前面枠３の上方係合部（前面枠側）３０１は、前記外枠２の上方被係合部（外枠側）２０１に係合して軸着されるように形成されている。上方係合部（前面枠側）３０１は、前面枠３のベース（本体）となるベース体３ａの左上端に取り付けられる取付部３０３と、該取付部３０３に対し前面枠３の前方側に突出するように延設され、前記軸部材２１６の係止に用いられる係止部３０４とから構成される。
【００３０】
図７は前面枠３の上方係合部（前面枠側）の部品を示す分解斜視図である。図７に示すように上方係合部（前面枠側）３０１の係止部３０４は、２枚の板状体が水平方向に上下に間隔を持って平行に配置されてなる上固定板３０４ａ及び下固定板３０４ｂと、これら上下の固定板の端部を繋ぐ垂直板３０４ｃとから構成されている。更に図７に示すように、係止部３０４の上固定板３０４ａには、左側端部が開口する鈎状の切り欠き溝からなるガイド溝３０５が設けられている。このガイド溝３０５の最奥に係止軸２１６が係止される。
【００３１】
また下固定板３０４ｂには、後述するガラス枠４を軸着するためのガラス枠上方係合部（前面枠側）３４０が設けられている。このガラス枠上方係合部（前面枠側）３４０は、ガラス枠上方被係合部（ガラス枠側）４４０に設けられている軸部材４４２（図２６参照）の先端を係止するための係合孔３４２と、固定板部３４１とから構成されている。係合孔３４２は、下固定板３０４ｂを上下に貫通する貫通孔として形成されている。係合孔３４２は、ガイド溝３０５の奥の係止軸２１６の係止される位置と重ならない位置に設け、互いに干渉しないように構成されている。
【００３２】
図７に示すように、上方係合部（前面枠側）３０１には、ガイド溝３０５に軸止される外枠２の係止軸２１６を係止状態に固定するためのストッパー３０７が設けられている。ストッパー３０７は前側端部３０７ａが左側が内側に凹となる湾曲状に形成され右側が外側に凸となる湾曲状に形成されている。上記内側湾曲面は、ガイド溝３０５の曲面とほぼ同じ曲率となるように形成し、係止軸２１６が入り易くなっている。またストッパー３０７は、中央は上下に貫通する係止孔３０７ｃが設けられ、係止孔３０７ｃを挟んで反対側となる後側は、該ストッパー３０７を手で回動（操作可能に）させるための摘み部３０７ｂとして形成されている。ストッパー３０７は、係止孔３０７ｃの下方から止ネジ３０９ａを挿通し、取付部３０３のビス孔３０９ｂに取り付けられている。ストッパー３０７は係止孔３０７ｃを回点軸として水平方向に回動するように軸止されている。更にストッパー３０７には、一方の端部３０７ａをガイド溝３０５の開口端部側に付勢し、ガイド溝３０５の切り欠きを塞ぐように移動するための付勢部材であるスプリング３０８が、取り付けられている。
【００３３】
図８は上方係合部（前面枠側）３０１と係止軸２１６との係合に対するストッパー３０７の作用を説明するための平面図であり、（ａ）はストッパー３０７が付勢された状態を示し、（ｂ）はストッパー３０７の付勢が解除された状態を示す。尚図８では図中上側が遊技機前面側であり図中下方が遊技機後面側である。図８（ａ）に示すように、ストッパー３０７は、前側端部３０７ａが外枠２の係止軸２１６がガイド溝３０５の奥に配置された状態でガイド溝３０５の内部を自由に移動できない位置と、図８（ｂ）に示すように、外枠２の係止軸２１６がガイド溝３０５内を自由に移動できる位置とを、変位可能に形成されている。
【００３４】
ストッパー３０７は、通常は、スプリング３０８（図７参照）によって、図８（ａ）に示すように係止軸２１６がガイド溝３０５の奥に配置された状態になるように付勢されている。この状態では、係止軸２１６がガイド溝３０５の内部を自由に移動できないように、ストッパー３０７の前側端部３０７ａが係止溝２１６を奥に付勢する位置にある。ストッパー３０７の付勢は、係止軸２１６をガイド溝３０５に挿通する際に、付勢に抗して係止軸２１６をガイド溝３０５の奥に押し込むことが可能に形成されている。従って外枠２の係止軸２１６を上方係合部（前面枠側）３０１に軸着する場合は、係止軸２１６をガイド溝３０５に沿って奥まで押し込むだけで、ストッパー３０７は付勢に抗して回動し、図８（ｂ）に示すように、係止軸２１６がガイド溝３０５の奥の位置に到達する。図８（ａ）に示すように、この状態になると、付勢に抗する力が外れるのでスプリング３０８により自然にストッパー３０７が前面側に付勢されて、係止軸２１６は、ガイド溝３０５の開口端部側に自由に移動出来ないように、ガイド溝３０５の内部に固定される。また、ガイド溝３０５とストッパー３０７の湾曲面がほぼ同じ曲率なので、係止軸２１６が入りやすくなっている。
【００３５】
外枠２の係止軸２１６をガイド溝３０５内から取り外すには、ストッパー３０７の摘み３０７ｂを手で操作してストッパー３０７の付勢を解除し、ストッパー３０７の前側端部３０７ａが後面側となるように回動させる。図８（ｂ）に示すように、ガイド溝３０５内に突出していた前側端部３０７ａは完全にガイド溝３０５内から待避した状態となって、係止軸２１６は、ガイド溝３０５内を自由に移動可能となって、開口端部から取り外すことができる。尚、実際には、外枠２の係止軸２１６が固定されていて、前面枠３のガイド溝３０５の方が移動する。
【００３６】
図９は外枠２の下方被係合部を示す拡大図である。図９に示すように、外枠２の下方被係合部（外枠側）２０２は、縦枠２ａ或いは横枠２ｂの前端から前面側に山形に突出し金属板により形成された支持板部２２１と、該支持板部２２１から上方に先端が先細の円筒状に突出する軸部材２２２とからなる支持部２２３、及び該支持部２２３の後方に連接され下方被係合部（外枠側）２０２の部材を外枠本体２０３に取り付けるための固定部２２４とから構成されている。この固定部２２４は、外枠２の左側の縦枠２ａに取り付けられる垂直固定部２２４ａと外枠２の下側の横枠２ｂに取り付けられる水平固定部２２４ｂとから構成されている。
【００３７】
図１０は前面枠３の下方係合部（前面枠側）３０２を示す拡大図であり、図１１は図１０の下方係合部（前面枠側）３０２を構成する部材を示し、（ａ）は平面図であり、（ｂ）は（ａ）のＢ−Ｂ線縦断面図である。図１０及び図１１（ａ）、（ｂ）に示すように、前面枠３の下方係合部（前面枠側）３０２を構成する部材（前面枠下部ヒンジ３７０）は、前面枠３のベース体３ａの前端から前面側に突出し、形状が下方被係合部（外枠側）２０２の前記支持板部２２１と略同形状に形成された支持板３７１と、支持板３７１を上下に貫通する貫通孔であり外枠２の軸部材２２２を挿通し軸着して支持可能な軸固定孔３７２とからなる支持部３７３と、下方係合部（前面枠側）３０２としての部材を前面枠３のベース体３ａに取り付けるための取付部３７４とから構成される。更に、軸固定孔３７２の周囲は、上方に突出する円筒状の軸部材３１２が設けられている。軸部材３１２は、先端が細くなるテーパーが設けられている。この軸部材３１２は下皿下方係合部（前面枠側）３１０（後述する）として設けられているものである。
【００３８】
以下、外枠２への前面枠３の取り付けについて説明する。先ず図６に示すように、外枠２に対し、上面図において前面枠３を平行状態から９０度回転させた位置になるようにする。上部が前方側となり下部が外枠側となるように斜めにした状態で、下方被係合部（外枠側）２０２の軸部材２２２（図９参照）に、前面枠３の下方係合部（前面枠側）３０２の軸固定孔３７２（図１０参照）を上から嵌め込む。
【００３９】
図１２は、前面枠３を外枠２に取り付ける場合の上方係合部（前面枠側）３０１と上方被係合部（外枠側）２０１の拡大図である。次いで図１２に示すように、前面枠３上部の上方係合部（前面枠側）３０１を外枠２の上方被係合部（外枠側）２０１に係合する。前面枠３を、上部が前方側に斜めに傾いている状態から垂直になるように起こすと共に、前面枠３のガイド溝３０５の開口端部から、外枠２の係止軸２１６を挿通し、ガイド溝３０５の奥まで押し込む。図８（ａ）に示すように、係止軸２１６がガイド溝３０５の奥まで押し込まれた状態になると、ストッパー３０７が、スプリング３０８によりガイド溝３０５の開口端部側に付勢された状態となり、ガイド溝３０５への係止状態が固定される。ガイド溝３０５に係止軸２１６を係止した状態にすると、係止軸２１６と軸部材２２２を回転軸として、前面枠３を回動させることができる。この状態で、前面枠３は左側が外枠２に回動可能に軸着されているので、前面枠３を回動して外枠２に前面枠３を閉鎖する。
【００４０】
図５に示すように、外枠２及び前面枠３の右側には、前面枠３の閉鎖状態を保持するための外枠側固定部２６１、２６２と、前面枠側固定部３６１、３６２が設けられている。そして軸着側を軸にして、他端側を外枠側固定部２６１、２６２と前面枠側固定部３６１、３６２を係止することによって、開閉可能に前面枠３を外枠２に閉鎖することが可能に構成されている。前面枠３の閉鎖状態は、鍵により外枠側固定部２６１、２６２と前面枠側固定部３６１、３６２の係止を解除することができる。
【００４１】
図１３は前面枠３を外枠２に閉鎖した状態を示す正面図であり、図１４は図１３の斜視図であり、図１５（ａ）は図１３の平面図であり、（ｂ）は図１３のＡ−Ａ線水平断面図であり、図１６は図１４の左下部の拡大図である。前面枠３を外枠２に閉鎖した状態を図１３〜図１６に示す。同図に示すように、前面枠３は、外枠２の上方被係合部（外枠側）２０１及び下方被係合部（外枠側）２０２からなる外枠２の被係合部に、前面枠３の上方係合部（前面枠側）３０１及び下方係合部（前面枠側）３０２が係合することにより、外枠２に対して開閉可能であり且つ脱着可能に軸着されている。
【００４２】
外枠２から前面枠３を取り外す場合には、取り付ける場合と反対に、先ず閉鎖されている前面枠３の外枠側固定部２６１、２６２と前面枠側固定部３６１、３６２の係止を解除し、所定角度（略９０度）開放しなければならない。外枠２から前面枠３を開放する場合、前面枠３の右側に設けた鍵穴１７に鍵を差し込み回動させ、前面枠３の閉鎖状態を保持する固定部の固定を解除する。次いで上方係合部（前面枠側）３０１と上方被係合部（外枠側）２０１の係合を解除するために、ストッパー３０７の摘み部３０７ｂを操作して、ストッパー３０７の付勢状態を解除し、前側端部３０７ａをガイド溝３０５から待避させ、外枠２の係止軸２１６がガイド溝３０５の開口部側に移動するように、前面枠３を傾けて、上方の係合状態を解除する。
【００４３】
尚、外枠２に前面枠３を閉鎖した状態では、ストッパー３０７の付勢状態及び係止軸の固定状態が保持されるようになっていて、外枠２から前面枠３を取り外せないように形成されている。すなわち、図１４及び図１５（ａ）に示すように、外枠２に前面枠３を閉鎖した状態では、ストッパー３０７の左側面が外枠２の上方被係合部（外枠側）２０１の取付部の側面板２１１に当接して、ストッパー３０７が回動できないようになっている。ストッパー３０７が回動しないので、係止軸２１６をガイド溝３０５の開口端部側に移動させることは不可能である。その結果、前面枠３を閉鎖した状態では、外枠２への前面枠３が係止されている状態を解除できない。
【００４４】
前面枠３を外枠２に軸着して、閉鎖した状態では、図１２及び図１３に示すように、上方係合部（前面枠側）３０１の下固定板３０４ｂは、支持板部２１５の下側に入り込んだ状態で係止される。そして、図１５（ｂ）に示すように、上方係合部（前面枠側）３０１の下固定板３０４ｂは、固定板部３４１と係合孔３４２が設けられたガラス枠上方係合部（前面枠側）３４０（第２の係合部）として、下面側が外部に露出した状態にある。
【００４５】
また図１３、図１４及び図１６に示すように、下方係合部（前面枠側）３０２には、前面枠３を外枠２に軸着して閉鎖した状態で、前面枠３に下皿部材５を係合するための下皿部材係合部３００が設けられている。前面枠３の下皿部材係合部３００は、前面枠３の左側縁の下方に設けられた下皿下方係合部（前面枠側）３１０と、左側縁の前記下皿下方係合部（前面枠側）３１０よりも上方の、下皿部材５とガラス枠４との境界となる位置に設けられた下皿上方係合部（前面枠側）３２０とから構成される。
【００４６】
前面枠３の下皿下方係合部（前面枠側）３１０は、前面枠３のベース体３ａの前端から前面側に突出し平板状に形成された軸固定部３１１と、該軸固定部３１１の上に上方に突出するように形成された軸部材３１２とから構成される。軸固定部３１１は、下方係合部（前面枠側）３０２の支持板３７１と共通する部材として形成されている（図１０参照）。
【００４７】
前面枠３の下皿上方係合部（前面枠側）３２０は、図１３、図１４及び図１６に示すように、前面枠３のベース体３ａの前端から前面側に平板状の先端が丸くなる形状に突出した固定板３２１と、該固定板３２１を上下に貫通する貫通孔からなる係合孔３２２とから構成される。更に、固定板３２１の上面側は、後述するガラス枠４の係合部となるガラス枠下方係合部（前面枠側）３３０として形成されている。このガラス枠下方係合部（前面枠側）３３０は、固定板３２１と共通部品である軸固定部３３１と、該軸固定部３３１の表面から上方に突出するように形成された軸部材３３２とから構成されている。
【００４８】
図１７は下皿部材５の外観を示す斜視図である。同図に示すように下皿部材５は、左側縁に前記前面枠３の下皿部材係合部３００に係合する下皿部材被係合部５００が設けられている。下皿部材被係合部５００は、前面枠３の下皿下方係合部（前面枠側）３１０に対応する位置に設けられた下皿下方被係合部（下皿部材側）５１０と、左側縁上方であり前面枠３の下皿上方係合部（前面枠側）３２０に対応する位置に設けられた下皿上方被係合部（下皿部材側）５２０とから構成されている。下皿部材５は、前面枠３の下皿部材係合部３００に下皿部材被係合部５００が係合することにより、前面枠３に対して脱着可能に軸着されている。
【００４９】
下皿上方被係合部（下皿部材側）５２０には、図１７に示すように、前面枠３の固定板３２１の下側に嵌るように上面が平坦に形成された軸固定部５２１が設けられている。軸固定部５２１の中程には下皿上方係合部（前面枠側）３２０の係合孔３２２に挿入される軸部材５２２が設けられている。下皿下方被係合部（下皿部材側）５１０は、前面枠３の下皿下方係合部（前面枠側）３１０の軸固定部３１１の上に載る固定板部５１１が設けられ、該固定板部５１１には下皿下方係合部（前面枠側）３１０の軸部材３１２が挿入される係合孔５１２が設けられている。更に固定板部５１１には、下方に突出する突起からなる支持部５１３が設けられている。また、下皿部材５の右側縁上部には下皿開放操作部５６０の開放操作摘み５６３が設けられている。
【００５０】
図１８は下皿部材５を後面側から見た分解斜視図である。同図に示すように、下皿部材５の軸部材５２２は、軸部材５２２の一端側の先端部５３６と軸部材５２２の本体となるスライド部５３１と軸部材５２２を変位して前面枠３から下皿部材５を取り外す為に操作する下皿取外し操作部５３０とが一体に形成されている。スライド部５３１には、縦長に形成され上下左右に所定間隔を持ってた設けられた２つの貫通孔からなるガイド孔５３２、５３２と、コイルばねからなる付勢部材５３３を引っ掛けるための引っ掛け部５３４とが設けられている。軸部材５２２は、付勢部材５３３により上方に付勢されている。下皿部材５の背面側に位置する下皿取外し操作部５３０を手で操作することによって、付勢に抗して軸部材５２２を下方に移動させることができる。
【００５１】
図１８に示すように、下皿部材５は、遊技機前面側の下皿本体５４０と遊技機後面側の下皿裏カバー５５０とから構成されている。軸部材５２２の下皿本体５４０への取り付けは、スライド部５３１の２つのガイド孔５３２に止ネジ５３５を挿通し、ガイド孔５３２に沿ってスライド部５３１が上下にスライド可能に係止する。更にコイルばねからなる付勢部材５３３を下皿本体５４０側の引っ掛け部５４１と軸部材の引っ掛け部５３４に引っ掛ける。この引っ掛け部同士を、付勢部材５３３で引っ掛けた際に、軸部材５２２が上方に付勢されるように形成されている。
【００５２】
更に下皿部材５には、図１７及び図１８に示すように、前面枠３に閉鎖された下皿部材５を開放するための下皿開放操作部５６０が、下皿部材５の開放側端部Ｑの下皿裏カバー５５０の後側に設けられている。下皿開放操作部５６０は、図１８に示すように、固定部材５６１と該固定部材５６１に上下にスライド可能に取り付けられる開放操作部材５６２とから構成される。固定部材５６１は板状体からなり、コイルばねからなる付勢部材５６７の引っ掛け部５６８ａと、下皿本体５４０に固定するためのネジ孔５６９が設けられている。開放操作部材５６２は、板状体の上端が遊技機前面側に突出するように折り曲げられた開放操作摘み５６３と、遊技機後方に突出し先端が上方に凸となるＬ字状に折り曲げ形成された二つの係止爪５６４、５６４と、上下に縦長の貫通孔からなる二つのガイド孔５６５、５６５と、付勢部材５６７の引っ掛け部５６８ｂとが設けられている。ガイド孔５６５、５６５は、上下左右に所定の間隔を持って設けられている。
【００５３】
下皿開放操作部５６０の取付は、開放操作部材５６２が、下皿裏カバー５５０に固定部材５６１が止ネジによって固定され、該固定部材５６１に開放操作部材５６２のガイド孔５６５に止ネジ５７０を挿通し、開放操作部材５６２が上下にスライド可能にネジ止めされる。そしてコイルばねからなる付勢部材５６７が、固定部材５６１の引っ掛け部５６８ａと開放操作部材５６２の引っ掛け部５６８ｂに引っ掛けられている。付勢部材５６７は、下皿開放操作部５６０の開放操作部材５６２を上方に付勢するように引っ掛けられている。
【００５４】
下皿部材５の軸部材５２２は、付勢部材５３３により上方に付勢されているから、通常は軸部材５２２の先端部５３６が軸固定部５２１上面よりも上に突出している。遊技機後方に突出している下皿取外し操作部５３０を手で操作して、軸部材５２２を遊技機の下方に押し下げると、先端部５３６が軸固定部５２１の表面から突出しない位置に移動させることができる。下皿取外し操作部５３０から手を離すと、付勢部材５３３により軸部材５２２は上方に付勢され軸固定部５２１上面から突出する。
【００５５】
図１９は下皿部材５を前面枠３に取り付けた状態を示す斜視図である。同図に示すように、下皿開放操作部５６０の開放操作摘み５６３が、下皿部材５の下皿裏カバー５５０の上縁よりも上方に突出するように取付られている。図３に示すように前面枠３からガラス枠４を開放し、前面枠３に下皿部材５を閉鎖した状態では、開放操作摘み５６３は、手で下方に押し下げ可能な位置にある。下皿開放操作部５６０の開放操作摘み５６３を押し下げると、通常は上方に付勢されている開放操作部材５６２がガイド孔５６５に沿って垂直方向に移動して、後述する係止爪５６４が下方に移動して閉鎖状態を解除できる。
【００５６】
図１６、図１７及び図１９に示すように、前面枠３へ下皿部材５を取付けるには、先ず下皿部材５を前面枠３に対して平行ではない角度を持った（開放した）状態とし、下皿下方被係合部（下皿部材側）５１０に設けられている係合孔５１２を、前面枠３の下皿下方係合部（前面枠側）３１０の軸部材３１２に挿入する。次いで下皿部材５の後面に設けられている下皿取外し操作部５３０（図１８参照）を下に押し下げて、軸部材５２２が軸固定部５２１の上面から上に出ない状態にする。この状態で下皿部材５の軸部材５２２と、前面枠３の下皿上方係合部（前面枠側）３２０に設けられた係合孔３２２の位置を合わせながら略平行状態にして、下皿取り外し操作部５３０を下方に押し下げていた手を離し、軸部材５２２の先端を係合孔３２２に挿入することによって、下皿部材５は左側縁の上下に設けられた下皿部材被係合部５００が前面枠３に設けられた下皿部材係合部３００に開閉及び着脱可能に軸着される。
【００５７】
図１３及び図１４に示すように、前面枠３には、下皿開放操作部５６０の係止爪５６４、５６４に対応する位置に、金属板からなる係止爪固定片３６４、３６４が設けられている。係止爪５６４、５６４は、上方に付勢された状態で係止爪固定片３６４、３６４に係止され、下皿部材５が前面枠３に閉鎖した際に開放しないように固定される。係止爪５６４、５６４は、遊技機後方が先細状になるようにテーパーが設けられ、下皿部材５を閉じる場合は、下皿部材５の係止爪側を前面枠３に押し込むだけで、下皿部材５を前面枠３に閉鎖することができる。
【００５８】
下皿部材５を取り外すには、先ず下皿開放操作部５６０の開放操作摘み５６３を手で押し下げ、係止爪５６４、５６４を下方に移動させて、係止爪固定片３６４、３６４による係止を解除する。そして下皿部材５の開放側端部Ｑを前方に引き出して前面枠３から開放する。次いで下皿部材裏側の下皿取外し操作部５３０（図１８参照）を下に押し下げて、軸部材５２２が軸固定部５２１の上面から突出しない状態にする。軸部材５２２の先端部５３６が軸固定部５２１上面から突出しないようになると、軸部材５２２が前面枠３の下皿上方係合部（前面枠側）３２０の係合孔３２２（図１４参照）に係合されている状態が解除される。次いで下皿部材５が軸着されている係合部側を取外す。下皿部材５の後面側の下皿取外し操作部５３０を手で下方に押し下げて軸部材５２２を下方にスライドさせ、前面枠３の下皿上方係合部（前面枠側）３２０の係合孔３２２に軸部材３１２が挿入されている状態を解除する。この状態で、軸固定部５２１が固定板３２１から外れるところまで、下皿部材５の開放側端部Ｑを下に傾ける。軸固定部５２１が固定板３２１から外れたならば、下皿部材５を斜め前方に持ち上げれば、下皿下方係合部（前面枠側）３１０の軸部材３１２に挿入していた下皿部材５の固定板部５１１の係合が解除され、下皿部材５を取り外すことができる。
【００５９】
図２０はガラス枠４を後方から見た状態を示す分解斜視図であり、図２１はガラス枠上方被係合部（ガラス枠側）４４０の部品を示す分解斜視図であり、図２２はガラス枠下方被係合部（ガラス枠側）４３０の部品を示す分解斜視図であり、図２３はガラス枠４を前面側下方から見た斜視図である。図２０に示すように、ガラス枠４は、上皿１２と一体に形成され、前面側に位置するガラス枠本体４１０と、後面側のガラス枠裏カバー４２０とを一体化して形成されている。尚、ガラス枠本体４１０とガラス枠裏カバー４２０との間には、遊技盤７を見ることができるようにガラス板４６０が挟持されている（図２３参照）。なお本発明遊技機では、ガラス板４６０を保持するガラス枠４により構成されているが、透明なプラスチック板等の透明板を保持する透明板保持枠により構成してもよい。上記ガラス板及び透明板等は、遊技盤７の遊技領域を視認することができる程度に透明性を有している。
【００６０】
図１５（ｂ）で説明したように、前面枠３の上方係合部（前面枠側）３０１の下面側には、固定板部３４１と係合孔３４２からなるガラス枠上方係合部（前面枠側）３４０が設けられている。ガラス枠４の左側縁上方には、図２０に示すように、前記ガラス枠上方係合部（前面枠側）３４０に係合するガラス枠上方被係合部（ガラス枠側）４４０が設けられている。ガラス枠上方被係合部（ガラス枠側）４４０は、軸固定部４４１と該軸固定部４４１から突出する軸部材４４２とから構成されている。また図２１に示すように、軸部材４４２は、コイルばねから成る付勢部材４４３によって、通常は上方に付勢されている。
【００６１】
また、軸部材４４２は、後面側に設けられているガラス枠取外し操作部４５０によって付勢部材４４３の付勢に抗して下方に移動させて、軸部材４４２の先端の位置を上下方向に変位させることが可能である。軸部材４４２の上下方向の位置は、下方は少なくとも軸部材４４２の先端の一部が少し軸固定部４４１の表面から突出した位置で、先端が前面枠３のガラス枠上方係合部（前面枠側）３４０の係合孔３４２に挿入しない位置である。また、軸部材の上方は図２６に示すように、少なくとも軸部材４４２の先端が前面枠３のガラス枠上方係合部（前面枠側）３４０の係合孔３４２に挿入して軸止される位置である。このように軸部材４４２は係合孔３４２に係合した状態と係合しない状態とを変位可能に構成されている。
【００６２】
図１４で説明したように、前面枠３には下皿上方係合部（前面枠側）３２０の上側に軸固定部３３１と軸部材３３２からなるガラス枠下方係合部（前面枠側）３３０が設けられている。図２０、図２２及び図２３に示すように、ガラス枠４の左側縁下方に、前面枠３のガラス枠下方係合部（前面枠側）３３０に係合するガラス枠下方被係合部（ガラス枠側）４３０が設けられている。ガラス枠下方被係合部（ガラス枠側）４３０を構成する部材は図２２に示すように、水平板に設けられた固定板部４３１と該固定板部４３１を上下に貫通する貫通孔として設けられた係合孔４３２と、水平板の後方端部から垂直に立ち上がる支持板部４３３とから構成されている。支持板部４３３にはガラス枠４の本体を構成する部材に取り付けるための貫通孔からなるビス孔４３４等が設けられている。
【００６３】
ガラス枠４に設けられている、ガラス枠下方被係合部（ガラス枠側）４３０とガラス枠上方被係合部（ガラス枠側）４４０からなるガラス枠４の被係合部は、本発明の第２の被係合部であり、ガラス枠上方被係合部（ガラス枠側）４４０には、本発明の本体枠・開閉部材用軸部材としての軸部材４４２が設けられている（図２６参照）。他方、前面枠３のガラス枠上方係合部（前面枠側）３４０とガラス枠下方係合部（前面枠側）３３０は、本発明の第２の係合部であり、ガラス枠上方係合部（前面枠側）３４０には、前記本体枠・開閉部材用軸部材を軸止する本発明の本体枠・開閉部材用係合孔としての係合孔３４２（図７参照）が設けられている。
【００６４】
尚、上記態様以外に、第２の被係合部であるガラス枠上方被係合部（ガラス枠側）４４０に係合孔を設け、第２の係合部である前面枠３のガラス枠上方係合部（前面枠側）３４０に軸部材を設けて構成しても良い。また、係合孔を軸部材に係合した状態と係合しない状態とに変位可能に形成してもよい。
【００６５】
ガラス枠４は、前面枠３から該ガラス枠４を一定角度以上開放した状態において、前面枠３のガラス枠上方係合部（前面枠側）３４０とガラス枠下方係合部（前面枠側）３３０からなるガラス枠係合部（第２の係合部）と、ガラス枠上方被係合部（ガラス枠側）４４０とガラス枠下方被係合部（ガラス枠側）４３０からなる被係合部（第２の被係合部）の軸着が解除された際に、前面枠３から取外し可能である。そして前面枠３にガラス枠４を閉鎖した状態において前記軸着が解除された場合は、前面枠３の上方係合部（前面枠側）３０１及び下方係合部（前面枠側）３０２からなる外枠係合部（第１の係合部）、或いは外枠２の上方被係合部（外枠側）２０１及び下方被係合部（外枠側）２０２からなる被係合部（第１の被係合部）の少なくとも何れか一方に干渉することにより、ガラス枠４が前面枠３の軸着側である右側縁から取外されるの防止する不正開放防止部１００が設けられている。
【００６６】
図２４はガラス枠４を前面枠３に取り付ける場合の取付前の状態を示す説明図であり、図２５は図２４の上面図であり、図２６はガラス枠上方被係合部と前面枠３のガラス枠上方係合部の拡大図であり、図２７は図２６の上面図であり、図２８はガラス枠４を前面枠３に取り付けた後の状態を示す説明図であり、図２９は遊技機の左側縁付近の上面図であり、（ａ）はガラス枠４を前面枠３に閉鎖した状態を示し、（ｂ）はガラス枠４を前面枠３から９０度開放した状態を示し、図３０はガラス枠４を前面枠３に取り付けた状態の左側縁付近の正面図である。以下、図２４から図３０を用いて、上記不正開放防止部１００について説明する。
【００６７】
ガラス枠４は、左側縁上方及び下方が前面枠３に軸着して、上皿１２と共に前面枠３に対して開閉可能且つ着脱可能に取り付けられている。すなわちガラス枠４は、左側縁下方のガラス枠下方被係合部（ガラス枠側）４３０の係合孔４３２（図２３参照）が、前面枠３のガラス枠下方係合部（前面枠側）３３０の軸部材３３２（図１４、図２４参照）に挿通され、ガラス枠４の左側縁上方のガラス枠上方被係合部（ガラス枠側）４４０の軸部材４４２が、前面枠３のガラス枠上方係合部（前面枠側）３４０の係合孔３４２（図１５（ｂ）、図３０参照）に挿通されていることで、前面枠３に軸着されている。そして、ガラス枠４には、図２４から図３０に示すように、ガラス枠４の左端上端後方にガラス枠裏カバー４２０を構成する部材の一部として、不正開放防止部１００が設けられている。
【００６８】
不正開放防止部１００は、ガラス枠４の左縁後方上端に左右水平方向に細長い棒状体としてガラス枠４のガラス枠裏カバー４２０と一体に設けられている。不正開放防止部１００の上方から見た前面側の平面形状は、図２９（ａ）に示すように、前面側先端が、上方被係合部（外枠側）２０１の支持板部２１５の後側の曲線形状と略同一の曲線形状となるように形成されている。そのため、前面枠３に対してガラス枠４が軸着された状態において、ガラス枠４を開閉移動させる際に、不正開放防止部１００が前面枠３のガラス枠上方係合部（前面枠側）３４０に干渉するなどしてガラス枠４の開閉動作に支障が出るのを防止している。また図２６に示すように不正開放防止部１００の水平方向は、その高さが、軸部材４４２の上端よりも低い位置であるが、軸固定部４４１表面よりも上になるように形成されている。そして、ガラス枠４の上側左縁の不正開放防止部１００の部分の前面側は、その右側部分よりも全体が低くなるように形成されていて、軸固定部４４１表面から軸部材４４２と不正開放防止部１００が上方に突出するように形成されている。
【００６９】
ガラス枠４が前面枠３に対して閉鎖している状態において、不正開放防止部１００は、前面枠３のガラス枠上方係合部（前面枠側）３４０の係合孔３４２とガラス枠上方被係合部（ガラス枠側）４４０の軸部材４４２とが係合している軸着部の裏面側に設けられている。不正開放防止部１００は、図２９（ａ）に示すように、軸着部側が軸着されている状態で、軸着側ではない他端側のガラス枠４の係止部４９１、４９２と前面枠３の係止部３９１、３９２が係止されて固定された状態では、軸着が解除されても上方被係合部（外枠側）２０１の支持板部２１５の後側に干渉することにより、前方に移動することができないので、不正開放防止部１００と一体に形成されたガラス枠４も前方に移動できず、前面枠３の軸着側から取外されるのを防止することができる。その結果、仮にガラス枠４が前面枠３に閉鎖されている状態で軸着部に対する軸着が解除されたとしても、ガラス枠４の軸着部を前方に移動させて操作する不正開放行為を防止できる。更に、外枠２は遊技店内の島等にしっかり固定されており、しかも軸着部分は前面枠３の開放時に軸着側の反対側に荷重がかかっても軸着部分に故障が出ないように強固に取り付けられている場合が多い。このような構造を利用して、不正開放防止部１００は、前面枠３の上方係合部（前面枠側）３０１及び下方係合部（前面枠側）３０２からなる外枠係合部（第１の係合部）、或いは外枠２の上方被係合部（外枠側）２０１及び下方被係合部（外枠側）２０２からなる外枠被係合部（第１の被係合部）の少なくとも一方に干渉する構成にすることによって、不正開放防止部１００の干渉部分は破壊などし難い構成になっているので、不正開放を防止する不正開放防止部１００を確実に干渉させることが可能になる。
【００７０】
これに対し図２９（ｂ）に示すように、ガラス枠４を前面枠３から一定角度以上開放した状態では、不正開放防止部１００は、ガラス枠４の閉鎖時に上方被係合部（外枠側）２０１の支持板部２１５の後方に位置していたのが、ガラス枠４と共に回動して側面側に移動する。この状態では、ガラス枠４を前方に移動させようとした場合に、ガラス枠４の不正開放防止部１００は支持板部２１５の後側と干渉せずに移動可能である。その結果、ガラス枠４の軸着を解除した場合にガラス枠４を前方に移動させることができるから、ガラス枠４の前面枠３からの着脱が容易であり、不正開放防止部１００はガラス枠４の着脱を妨げることがない。
【００７１】
図２９（ａ）に示すように、不正開放防止部１００は、前面枠３にガラス枠４を閉鎖した状態にすると、前面枠３のベース体３ａの前面側に位置すると共に、前面枠３の上方係合部（前面枠側）３０１のガイド溝３０５に外枠２の上方被係合部（外枠側）２０１の係止軸２１６が係止された軸着部（図２８参照）の裏面側であり、前記軸着部とベース体３ａとの間に位置している。このように不正開放防止部１００が軸着部とベース体３ａとの間に位置している場合、不正開放防止部１００が軸着部とベース体３ａにより挟まれていることで、軸着が解除されてもガラス枠４が後方側に変位することも防止でき、軸着が外れた場合のズレを抑制することが可能となる。そして、外部から不正開放防止部１００に対して不正な操作を行う隙間を極小にして、不正開放防止部１００に外部から破壊や変形等を施されることを防止できる。
【００７２】
尚、上記態様では、不正開放防止部１００が上方被係合部（外枠側）２０１（第1の被係合部）の支持板部２１５に干渉するように構成したが、不正開放防止部１００が上方被係合部（外枠側）２０１の支持板部２１５以外の部分に干渉するようにしたり、また、上方係合部（前面枠側）３０１（第１の係合部）の係止部３０４等に干渉するようにしたり上方被係合部（外枠側）２０１と外枠上方係合部３０１の係止部３０４との両方に干渉したりするように構成しても良い。
【００７３】
本発明において、不正開放防止部が第１の係合部或いは第１の被係合部に「干渉する」とは、不正開放防止部の自由な動きを妨害する或いは当接するような働きをするということであり、不正開放防止部が前方へ移動する場合の障害になるという意味を含むものである。
【００７４】
図３１は、ガラス枠４の上方の取付部の拡大図であり、（ａ−１）は取外し操作部を操作しない通常時の正面図であり、（ａ−２）は（ａ−１）の左側面図であり、（ｂ−１）は取外し操作部を操作して軸部材４４２を押し下げた状態を示す正面図であり、（ｂ−２）は（ｂ−１）の左側面図である。図３１（ａ−１）、（ａ−２）に示すように、軸部材４４２はコイルばねからなる付勢部材４４３により上方に付勢され、前面枠３のガラス枠上方係合部（前面枠側）３４０の係合孔３４２に挿入されている。図３１（ｂ−１）、（ｂ−２）に示すように、ガラス枠取外し操作部４５０の端部側を上に押し上げると、ガラス枠取外し操作部４５０の先端は下方に押し下げられ、その先端は軸部材４４２を付勢部材４４３の付勢に抗して下方に移動させる。ガラス枠取外し操作部４５０から、手を離すと、同図（ａ−１）、（ａ−２）に示すように、軸部材４４２は付勢部材４４３によって上方に付勢された状態に戻る。軸部材４４２は、上下に移動させることで前面枠３のガラス枠上方係合部（前面枠側）３４０の係合孔３４２に係合した状態と係合しない状態とに変位可能に構成されている。ガラス枠取外し操作部４５０の操作によって、この両者の状態に変位させることができる。
【００７５】
ガラス枠取外し操作部４５０は、図２８に示すように、ガラス枠４を閉鎖した場合に前面枠３の前面側に設けたレバー固定溝３８１に嵌合するように、該レバー固定溝３８１が設けられている。前記レバー固定溝３８１は、ガラス枠４を前面枠３に閉鎖した状態ではガラス枠取外し操作部４５０が上下に動かないように、取外し操作部の厚みに対応した大きさに形成され、ガラス枠取外し操作部４５０によって軸部材４４２を押し下げることができないように構成されている。その結果、軸部材４４２は、ガラス枠取外し操作部４５０の操作によって係合しない状態に変位させることができず、ガラス枠上方係合部（前面枠側）３４０の係合孔３４２に係合した状態に固定される。
【００７６】
ガラス枠４を前面枠３に軸着する場合、先ずガラス枠４を前面側斜め上方から、ガラス枠下方被係合部（ガラス枠側）４３０の係合孔４３２を前面枠３のガラス枠下方係合部（前面枠側）３３０の軸部材３３２に係合する。次いで、ガラス枠取外し操作部４５０のレバーを上に押し上げて軸部材４４２の先端を下方に移動させ、係合孔３４２に位置を合わせる。ガラス枠取外し操作部４５０のレバーから手を離すと、付勢部材４４３により軸部材４４２が上方にスライド移動して係合孔３４２に挿入する。ガラス枠４は左側縁が前面枠３に軸着される。左側縁が軸着されたガラス枠４を回動させて前面枠３に閉鎖すると、ガラス枠４の係止部４９１、４９２（図２４参照）が、前面枠３の右端開放端部に設けられている係止部３９１、３９２に係止されて前面枠３に閉鎖状態で固定される。
【００７７】
ガラス枠４を前面枠３から取り外すには、先ず前面枠３に閉鎖しているガラス枠４を開放させる。ガラス枠４を開放するには、前面枠３の係止部３９１、３９２に対する係止部４９１、４９２の係合を、鍵穴１７に鍵を挿通する等の方法で解除する。ガラス枠４の右側縁を手前に引き出して、左側縁を軸として回動させてガラス枠４を開放する。このときの開放角度は、図２８に示すように、ガラス枠４の裏側のガラス枠取外し操作部４５０を手で操作できる角度でああればよい。次に、ガラス枠取外し操作部４５０を手で押し下げて軸部材４４２が係合孔３４２に係合しない状態に変位させて、軸部材４４２と係合孔３４２の係合を解除する。前面枠３のガラス枠上方係合部（前面枠側）３４０の係合孔３４２から軸部材４４２の先端が外れる。ガラス枠上方被係合部（ガラス枠側）４４０を前方に傾け、斜め前方上方に引き上げることで、前面枠３からガラス枠４を取り外すことができる。
【００７８】
本願の構成は、ガラス枠４が前面枠３に対して一端が軸着し他端側も係止によって固定され、閉鎖している状態において、例えばガラス枠上方係合部（前面枠側）３４０の係合孔３４２に対して軸着されているガラス枠上方被係合部（ガラス枠側）４４０の軸部材４４２を不正に操作して、軸着を解除して軸着側から不正をするのを防止するために不正開放防止部１００を設けているが、遊技機の多くは修理等の作業時に前面枠３からガラス枠４を取り外し易くするために、ガラス枠４と前面枠３の軸着の間Ｓ、詳しくはガラス枠４のガラス枠上方被係合部（ガラス枠側）４４０の軸固定部４４１の上面と前面枠３のガラス枠上方係合部（前面枠側）３４０の固定板部３４１との間Ｓに空間部が設けられている。そのため、空間部Ｓを通り遊技機前面側から軸部材４４２を不正に動かせる場合があるが、軸着が解除されても不正開放防止部１００により不正開放を防止できる。更に不正開放防止部１００は軸部材４４２の裏側にあるため不正開放防止部１００があることが見抜けにくくなっており、不正開放防止部１００への破壊などの不正を抑制することが可能となる。
【００７９】
上記実施例は、開閉部材としてガラス枠４に適用した態様を示したが、開閉部材として下皿部材５に適用してもよい。また、本発明遊技機は、パチンコ遊技機に限らず、スロットマシン等に適用しても良い。
【図面の簡単な説明】
【００８０】
【図１】本発明遊技機の一実施例を示す正面図である。
【図２】図１の背面図である。
【図３】前面枠からガラス枠を開放した状態を示す斜視図である。
【図４】前面枠からガラス枠及び下皿部材を開放した状態を示す斜視図である。
【図５】外枠と前面枠の取付構造を示すための分解斜視図である。
【図６】外枠の上方被係合部（外枠側）及び前面枠の上方係合部（前面枠側）の拡大図である。
【図７】前面枠の上方係合部（前面枠側）の部品を示す分解斜視図である。
【図８】上方係合部（前面枠側）と係止軸との係合に対するストッパーの作用を説明するための平面図であり、（ａ）はストッパーが付勢された状態を示し、（ｂ）はストッパーの付勢が解除された状態を示す。
【図９】外枠の下方被係合部（外枠側）を示す拡大図である。
【図１０】前面枠の下方係合部（前面枠側）を示す拡大図である。
【図１１】図１０の下方係合部（前面枠側）を構成する部材を示し、（ａ）は平面図であり、（ｂ）は（ａ）のＢ−Ｂ線縦断面図である。
【図１２】前面枠を外枠に取り付ける場合の上方係合部（前面枠側）と上方被係合部（外枠側）の拡大図である。
【図１３】前面枠を外枠に閉鎖した状態を示す正面図である。
【図１４】図１３の斜視図である。
【図１５】（ａ）は図１３の平面図であり、（ｂ）は図１３のＡ−Ａ線水平断面図である。
【図１６】図１４の左下部の拡大図である。
【図１７】下皿部材の外観を示す斜視図である。
【図１８】下皿部材を背面側から見た分解斜視図である。
【図１９】下皿部材を前面枠に取り付けた状態を示す斜視図である。
【図２０】ガラス枠を後方から見た状態を示す分解斜視図である。
【図２１】ガラス枠上方被係合部（ガラス枠側）の部品を示す分解斜視図である。
【図２２】ガラス枠下方被係合部（ガラス枠側）の部品を示す分解斜視図である。
【図２３】ガラス枠を前面側下方から見た斜視図である。
【図２４】ガラス枠を本体枠に取り付ける場合の取付前の状態を示す説明図である。
【図２５】図２４の上面図である。
【図２６】ガラス枠上方被係合部（ガラス枠側）とガラス枠上方係合部（前面枠側）の拡大図である。
【図２７】図２６の上面図である。
【図２８】ガラス枠を前面枠に取り付けた後の状態を示す説明図である。
【図２９】遊技機の左側縁付近の上面図であり、（ａ）はガラス枠を前面枠に閉鎖した状態を示し、（ｂ）はガラス枠を前面枠から９０度開放した状態を示す。
【図３０】ガラス枠を前面枠に取り付けた状態の左側縁付近の正面図である。
【図３１】ガラス枠の上方の取付部の拡大図であり、（ａ−１）は取外し操作部を操作しない通常時の正面図であり、（ａ−２）は（ａ−１）の左側面図であり、（ｂ−１）は取外し操作部を操作して押し下げた状態を示す正面図であり、（ｂ−２）は（ｂ−１）の左側面図である。
【符号の説明】
【００８１】
１  パチンコ遊技機
２  外枠
３  前面枠（本体枠）
３ａ  前面枠のベース体
４  ガラス枠（開閉部材）
１００  不正開放防止部
２０１  上方被係合部（外枠側）（第１の被係合部）
２０２  下方被係合部（外枠側）（第１の被係合部）
３０１  上方係合部（前面枠側）（第１の係合部）
３０２  下方係合部（前面枠側）（第１の係合部）
３３０  ガラス枠下方係合部（前面枠側）（第２の係合部）
３４０  ガラス枠上方係合部（前面枠側）（第２の係合部）
３４２  係合孔（本体枠・開閉部材用係合孔）
４３０  ガラス枠下方被係合部（ガラス枠側）（第２の被係合部）
４４０  ガラス枠上方被係合部（ガラス枠側）（第２の被係合部）
４４２  軸部材（本体枠・開閉部材用軸部材）
【図１】
2007275217.tif 000003
【図２】
2007275217.tif 000004
【図３】
2007275217.tif 000005
【図４】
2007275217.tif 000006
【図５】
2007275217.tif 000007
【図６】
2007275217.tif 000008
【図７】
2007275217.tif 000009
【図８】
2007275217.tif 000010
【図９】
2007275217.tif 000011
【図１０】
2007275217.tif 000012
【図１１】
2007275217.tif 000013
【図１２】
2007275217.tif 000014
【図１３】
2007275217.tif 000015
【図１４】
2007275217.tif 000016
【図１５】
2007275217.tif 000017
【図１６】
2007275217.tif 000018
【図１７】
2007275217.tif 000019
【図１８】
2007275217.tif 000020
【図１９】
2007275217.tif 000021
【図２０】
2007275217.tif 000022
【図２１】
2007275217.tif 000023
【図２２】
2007275217.tif 000024
【図２３】
2007275217.tif 000025
【図２４】
2007275217.tif 000026
【図２５】
2007275217.tif 000027
【図２６】
2007275217.tif 000028
【図２７】
2007275217.tif 000029
【図２８】
2007275217.tif 000030
【図２９】
2007275217.tif 000031
【図３０】
2007275217.tif 000032
【図３１】
2007275217.tif 000033